【手続補正書】
【提出日】平成26年9月17日(2014.9.17)
【手続補正１】
【補正対象書類名】特許請求の範囲
【補正対象項目名】全文
【補正方法】変更
【補正の内容】
【特許請求の範囲】
【請求項１】
パターンを入力する入力部と、
被印刷媒体に印刷をおこなう印刷部と、
前記入力部及び前記印刷部を制御する制御部と、
を備え、
前記入力部から入力された入力パターンが第１の行及び当該第１の行の次行である第２の行を含む複数行であって、前記第１の行の第１のパターンが形成されている第１のパターン領域の後方と、前記第２の行の第２のパターンが形成されている第２のパターン領域の前方と、の少なくともいずれか一方に余白部が形成されている場合、
前記制御部は、
前記余白部を削除して前記第１のパターン及び前記第２のパターンを、前記第１のパターン及び前記第２のパターンの順に、一行のパターン配置にして、
前記パターン配置を前記印刷部により前記被印刷媒体に印刷させる、
ことを特徴とする印刷装置。
【請求項２】
前記制御部は、前記余白部の長さが所定の長さ以上の場合に前記余白部を削除する、
ことを特徴とする請求項１に記載の印刷装置。
【請求項３】
前記制御部は、前記余白部の長さが前記所定の長さ未満の場合に前記余白部を削除せず、前記第１のパターン及び前記第２のパターンを順に一行とする、
ことを特徴とする請求項２に記載の印刷装置。
【請求項４】
前記所定の長さは、５０ドット以上１００ドット以下の範囲の長さである、
ことを特徴とする請求項２又は３に記載の印刷装置。
【請求項５】
前記所定の長さは、前記第１のパターンにおける先頭パターンの大きさの２分の１以上３分の２以下の範囲の長さである、
ことを特徴とする請求項２又は３に記載の印刷装置。
【請求項６】
前記制御部は、前記余白部を削除するときに、パターン間の平均距離に基づいて前記第１のパターンと前記第２のパターンとの間隔を設定する、
ことを特徴とする請求項１乃至５のいずれかに記載の印刷装置。
【請求項７】
前記パターンを表示する表示部をさらに備え、
前記表示部は、
前記入力部から入力された前記入力パターンのままの表示である原表示と、
前記余白部を削除せず、前記第１のパターン及び前記第２のパターンを順に一行とした表示である行変換表示と、
前記余白部を削除して、前記第１のパターン及び前記第２のパターンを順に一行とした表示である余白詰め変換表示と、
を表示するプレ表示を行う、
ことを特徴とする請求項１乃至５のいずれかに記載の印刷装置。
【請求項８】
パターンを入力部によって入力し、
前記入力部によって入力した入力パターンが第１の行及び当該第１の行の次行である第２の行を含む複数行であって、前記第１の行の第１のパターンが形成されている第１のパターン領域の後方と、前記第２の行の第２のパターンが形成されている第２のパターン領域の前方と、の少なくともいずれか一方に余白部が形成されている場合、
前記余白部を削除して前記第１のパターン及び前記第２のパターンを、前記第１のパターン及び前記第２のパターンの順に、一行のパターン配置にし、
前記パターン配置を印刷部によって印刷する、
ことを特徴とする印刷装置による印刷方法。
【請求項９】
前記余白部の長さが所定の長さ以上の場合に前記余白部を削除する、
ことを特徴とする請求項８に記載の印刷装置による印刷方法。
【請求項１０】
前記余白部の長さが前記所定の長さ未満の場合に前記余白部を削除せず、前記第１のパターン及び前記第２のパターンを順に一行とする、
ことを特徴とする請求項９に記載の印刷装置による印刷方法。
【請求項１１】
前記所定の長さは、５０ドット以上１００ドット以下の範囲の長さである、
ことを特徴とする請求項９又は１０に記載の印刷装置による印刷方法。
【請求項１２】
前記所定の長さは、前記第１のパターンにおける先頭パターンの大きさの２分の１以上３分の２以下の範囲の長さである、
ことを特徴とする請求項９又は１０に記載の印刷装置による印刷方法。
【請求項１３】
前記余白部を削除するときに、パターン間の平均距離に基づいて前記第１のパターンと前記第２のパターンとの間隔を設定する、
ことを特徴とする請求項８乃至１２のいずれかに記載の印刷装置による印刷方法。
【請求項１４】
前記入力部から入力された前記入力パターンのままの表示である原表示と、
前記余白部を削除せず、前記第１のパターン及び前記第２のパターンを順に一行とした表示である行変換表示と、
前記余白部を削除して、前記第１のパターン及び前記第２のパターンを順に一行とした表示である余白詰め変換表示と、
を表示部に表示するプレ表示を行う、
ことを特徴とする請求項８乃至１３のいずれかに記載の印刷装置による印刷方法。
【請求項１５】
コンピュータに、
パターンを入力部によって入力させ、
前記入力部によって入力させた入力パターンが第１の行及び当該第１の行の次行である第２の行を含む複数行であって、前記第１の行の第１のパターンが形成されている第１のパターン領域の後方と、前記第２の行の第２のパターンが形成されている第２のパターン領域の前方と、の少なくともいずれか一方に余白部が形成されている場合、
前記余白部を削除して前記第１のパターン及び前記第２のパターンを、前記第１のパターン及び前記第２のパターンの順に、一行のパターン配置にさせ、
前記パターン配置を印刷部によって印刷させる、
ことを特徴とするプログラム。
【請求項１６】
前記余白部の長さが所定の長さ以上の場合に前記余白部を削除させる、
ことを特徴とする請求項１５に記載のプログラム。
【請求項１７】
前記余白部の長さが前記所定の長さ未満の場合に前記余白詰部を削除させず、前記第１のパターン及び前記第２のパターンを順に一行とさせる、
ことを特徴とする請求項１６に記載のプログラム。
【請求項１８】
前記所定の長さは、５０ドット以上１００ドット以下の範囲の長さである、
ことを特徴とする請求項１６又は１７に記載のプログラム。
【請求項１９】
前記所定の長さは、前記第１のパターンにおける先頭パターンの大きさの２分の１以上３分の２以下の範囲の長さである、
ことを特徴とする請求項１６又は１７に記載のプログラム。
【請求項２０】
前記余白部を削除するときに、パターン間の平均距離に基づいて前記第１のパターンと前記第２のパターンとの間隔を設定させる、
ことを特徴とする請求項１５乃至１９のいずれかに記載のプログラム。
【手続補正２】
【補正対象書類名】明細書
【補正対象項目名】発明の名称
【補正方法】変更
【補正の内容】
【発明の名称】印刷装置、印刷装置による印刷方法及びプログラム
【手続補正３】
【補正対象書類名】明細書
【補正対象項目名】０００１
【補正方法】変更
【補正の内容】
【０００１】
本発明は、被印刷媒体に印刷を行う印刷装置、印刷装置による印刷方法及びプログラムに関するものである。
【手続補正４】
【補正対象書類名】明細書
【補正対象項目名】０００４
【補正方法】変更
【補正の内容】
【０００４】
そして、例えば、種々の商品情報とバーコードを印刷可能なラベル印刷装置とにあっては、商品情報の文字量の多さに合わせて文字列の行間隔や文字の向きを変化させて縦長又は横長のラベルに多くの説明文などを印刷可能とする印刷装置も提案されている（例えば特許文献１）。  
【手続補正５】
【補正対象書類名】明細書
【補正対象項目名】０００９
【補正方法】変更
【補正の内容】
【０００９】
前記課題を果たすため、本発明の印刷装置の一態様は、パターンを入力する入力部と、被印刷媒体に印刷をおこなう印刷部と、前記入力部及び前記印刷部を制御する制御部と、を備え、前記入力部から入力された入力パターンが第１の行及び当該第１の行の次行である第２の行を含む複数行であって、前記第１の行の第１のパターンが形成されている第１のパターン領域の後方と、前記第２の行の第２のパターンが形成されている第２のパターン領域の前方と、の少なくともいずれか一方に余白部が形成されている場合、前記制御部は、前記余白部を削除して前記第１のパターン及び前記第２のパターンを、前記第１のパターン及び前記第２のパターンの順に、一行のパターン配置にして、前記パターン配置を前記印刷部により前記被印刷媒体に印刷させる、ことを特徴とする。
【手続補正６】
【補正対象書類名】明細書
【補正対象項目名】００１０
【補正方法】変更
【補正の内容】
【００１０】
また、前記課題を果たすため、本発明の印刷装置による印刷方法の一態様は、パターンを入力部によって入力し、前記入力部によって入力した入力パターンが第１の行及び当該第１の行の次行である第２の行を含む複数行であって、前記第１の行の第１のパターンが形成されている第１のパターン領域の後方と、前記第２の行の第２のパターンが形成されている第２のパターン領域の前方と、の少なくともいずれか一方に余白部が形成されている場合、前記余白部を削除して前記第１のパターン及び前記第２のパターンを、前記第１のパターン及び前記第２のパターンの順に、一行のパターン配置にし、前記パターン配置を印刷部によって印刷する、ことを特徴とする。
また、前記課題を果たすため、本発明のプログラムの一態様は、コンピュータに、パターンを入力部によって入力させ、前記入力部によって入力させた入力パターンが第１の行及び当該第１の行の次行である第２の行を含む複数行であって、前記第１の行の第１のパターンが形成されている第１のパターン領域の後方と、前記第２の行の第２のパターンが形成されている第２のパターン領域の前方と、の少なくともいずれか一方に余白部が形成されている場合、前記余白部を削除して前記第１のパターン及び前記第２のパターンを、前記第１のパターン及び前記第２のパターンの順に、一行のパターン配置にさせ、前記パターン配置を印刷部によって印刷させる、ことを特徴とする。
【手続補正７】
【補正対象書類名】明細書
【補正対象項目名】００１１
【補正方法】変更
【補正の内容】
【００１１】
本発明に係る印刷装置、印刷装置による印刷方法及びプログラムは、複数行のパターンが入力されたとき、入力パターンを順に一行として幅の制限された被印刷部材に大きなパターンで印刷して見易く印刷することができ、第１の行に入力されたパターンと次行の第２の行に入力されたパターンとの間に余白が形成されていても、一行に印刷するに際してパターンの間に余白が生じて見辛くなることを防止できる。
【手続補正８】
【補正対象書類名】明細書
【補正対象項目名】００２６
【補正方法】変更
【補正の内容】
【００２６】
そして、印刷装置1は、カセットケース22がテープ収納部8に装填されると、カセットケース22の被係合部29とテープ収納部8のカセット受部15に形成されたテープ幅検出スイッチ16の幾つかと或いは全部とが係合し、係合したテープ幅検出スイッチ16が押下されて、このオン状態となったテープ幅検出スイッチ16の組み合わせによってテープカセット21のテープ幅等の種類を判別できるようになっている。
【手続補正９】
【補正対象書類名】明細書
【補正対象項目名】００３２
【補正方法】変更
【補正の内容】
【００３２】
さらに、制御部40には、表示部4を駆動させる表示部駆動回路63と、タッチパネル表示部62を駆動させる表示制御手段としてのタッチパネル表示部駆動回路61と、が接続されている。
【手続補正１０】
【補正対象書類名】明細書
【補正対象項目名】００４３
【補正方法】変更
【補正の内容】
【００４３】
尚、図４の（２）に示すように、入力画面（Ａ）に入力文字列として上段の先頭文字位置と下段の先頭文字位置とを揃えるように手書き入力を行ったときは、表示画面（Ｂ）には入力画面のままの印刷パターンを示す原表示と、一行に連続させた印刷パターンを示す行変換表示のみを表示し、入力画面のままの印刷パターンと一行に連続させた印刷パターンとの選択を可能とするプレ表示を行うものである。
【手続補正１１】
【補正対象書類名】明細書
【補正対象項目名】００４７
【補正方法】変更
【補正の内容】
【００４７】
また、二行目以降の行頭が下がっており、二行目以降の行頭余白が所定の値よりも大きい場合、二行目以降の行頭余白の長さに合わせて詰め幅の算出（Ｓ４１０）を行い、二段書の入力であった場合は、図４の（１）に示したように、入力された二段書の印刷状態を示す原表示と、二段目の行頭余白の長さをそのまま残して一行に並べる印刷状態を示す行変換表示と、二段目の行頭余白を削除して一行に並べた印刷状態を示す余白詰め変換表示と、を表示するプレ表示（Ｓ４２０）を行い、印刷状態の選択入力により入力状態のままの印刷か、行変換処理を行って一行印刷を行うか、の判断（Ｓ４３０）、及び、一行印刷の場合は余白詰め変換処理により一行であって余白詰めが行なわれた印刷を行うか、の判断（Ｓ４４０）をした後、印刷パターン変更処理を終了する。また、一行目の文末に行末余白があれば、その行末余白と二行目の行頭余白との少なくともいずれか一方の余白について詰め幅の算出を行ってもよい。
【手続補正１２】
【補正対象書類名】明細書
【補正対象項目名】００５５
【補正方法】変更
【補正の内容】
【００５５】
このようにして各水平ラインの検出を順次垂直方向に行い、最終ライン番号（Ｅ2）まで検出を行った後、入力ドットが存在したライン番号（Ｌ）の連続状態及び入力ドットが存在しない水平ライン番号（Ｌ）の連続状態により、入力文字列の行数算出（Ｓ１６０）により入力された文字列が何行かを記憶し、更に、文字の大きさや文字の並びによる文字列一行の行幅算出（Ｓ１６１）、複数行の場合は行間余白の幅の算出（Ｓ１６３）を行うものであって、文字列が複数行の場合に各行の行頭余白の検出等を行う文字列検出処理（Ｓ１００）を行うものである。
【手続補正１３】
【補正対象書類名】明細書
【補正対象項目名】００６２
【補正方法】変更
【補正の内容】
【００６２】
そして、余白詰め変換処理が可能か否かの判断は、図８に示すように、先ず、文字列が複数行か否かの判断（Ｓ３１０）を行い、複数行の場合、文字配置検出処理（Ｓ２００）で算出した各行の行頭余白を読み出し（Ｓ３１５）、二行目以降の行頭余白が一行目の行頭余白よりも基準値以上に大きいか否かを判断（Ｓ３２０）し、二行目以降の行頭余白が一行目の行頭余白よりも基準値以上に大きい場合は余白詰めを可能と判断し（Ｓ３２５）、基準値未満の場合は余白詰め不可能と判断（Ｓ３３０）するものである。また、一行目の文末に行末余白があれば、その行末余白と二行目の行頭余白との少なくともいずれか一方の余白を詰めることができるか否かの判断をしてもよい。
【手続補正１４】
【補正対象書類名】明細書
【補正対象項目名】００６７
【補正方法】変更
【補正の内容】
【００６７】
また、文字配置検出処理（Ｓ２００）は、行頭余白の検出のみとして各行の先頭文字の位置検出と各行の最終文字の位置検出とするように簡略化し、先頭文字のずれ量により余白詰めが可能か否かの判断を行い、且つ、余白詰めの量も決定することもある。
また、文字配置検出処理（Ｓ２００）は、行頭余白の検出のみならず、行末余白の検出にも用いることができ、一行目の行末余白と二行目の行頭余白との少なくとも何れか一方に余白が形成されている場合にも用いることができる。